(57)【要約】【課題】高精度に交通状況を予測するための情報処理システム、情報処理装置、情報処理方法および情報処理プログラムを提供する。【解決手段】情報処理装置は、交通状況取得部１と、交通状況予測部２とを備えている。鉄道ネットワークの運行状況情報を考慮して道路ネットワークの渋滞状況の予測を行うため、予測の精度を向上できる。【選択図】図１
2018014143.tif 000002
【特許請求の範囲】
【請求項１】
鉄道ネットワークにおける鉄道の運行状況を取得する交通状況取得手段と、
道路ネットワークの渋滞状況を、取得された前記鉄道の運行状況を考慮して予測する交通状況予測手段と、を備え、
前記渋滞状況は、前記道路ネットワークの渋滞度を含み、
前記交通状況予測手段は、前記鉄道に運休または遅延が発生している場合、運休および遅延が発生していない場合に比べて、前記道路ネットワークの渋滞度が高くなるよう、前記渋滞状況を予測することを特徴とする情報処理システム。
【請求項２】
鉄道ネットワークにおける鉄道の運行状況を取得する交通状況取得手段と、
道路ネットワークの渋滞状況を、取得された前記鉄道の運行状況を考慮して予測する交通状況予測手段と、を備え、
前記交通状況予測手段は、前記鉄道ネットワークにおける運休または遅延が発生している区間からの距離に応じて、前記道路ネットワークの渋滞状況を予測することを特徴とする情報処理システム。
【請求項３】
鉄道ネットワークにおける鉄道の運行状況を取得する交通状況取得手段と、
道路ネットワークの渋滞状況を、取得された前記鉄道の運行状況を考慮して予測する交通状況予測手段と、を備え、
前記交通状況予測手段は、前記鉄道の運休または遅延による、前記渋滞状況への影響時間を予測することを特徴とする情報処理システム。
【請求項４】
前記交通状況予測手段は、前記鉄道ネットワークの運行状況と前記道路ネットワークの渋滞状況とを関連付けた渋滞予測用情報データベースを参照して、前記道路ネットワークの渋滞状況を予測することを特徴とする請求項１乃至３のいずれかに記載の情報処理システム。
【請求項５】
前記交通状況予測手段は、前記鉄道ネットワークの運行状況のログである運行状況情報データベースと、前記道路ネットワークの交通状況のログである交通状況情報データベースと、を用いて、前記道路ネットワークの渋滞状況を予測することを特徴とする請求項１乃至３のいずれかに記載の情報処理システム。
【請求項６】
前記鉄道ネットワークの運行状況のログである運行状況情報データベースと、前記道路ネットワークの交通状況のログである交通状況情報データベースと、を用いて、前記鉄道ネットワークの運行状況と前記道路ネットワークの渋滞状況とを関連付けた渋滞予測用情報データベースを生成するデータベース生成手段を備え、
このデータベース生成手段は、
前記運行状況情報データベースを参照して、運休または遅延が発生した日時を特定し、
前記交通状況情報データベースを参照して、特定された前記日時の交通状況を取得し、
前記運休または遅延と、前記特定された交通状況とを関連付けて、前記渋滞予測用情報データベースを生成し、
前記交通状況予測手段は、生成された前記渋滞予測用情報データベースを参照して、前記道路ネットワークの渋滞状況を予測することを特徴とする請求項１乃至３のいずれかに記載の情報処理システム。
【請求項７】
予測された前記道路ネットワークの渋滞状況を反映させて、経路探索を行う経路探索部を備えることを特徴とする請求項１乃至６に記載の情報処理システム。
【請求項８】
鉄道ネットワークにおける鉄道の運行状況を取得する交通状況取得手段と、
前記鉄道ネットワークの代替として利用できる道路ネットワークの渋滞状況を、取得された前記鉄道の運行状況を考慮して予測する交通状況予測手段と、を備え、
前記渋滞状況は、前記道路ネットワークの渋滞度を含み、
前記交通状況予測手段は、前記鉄道に運休または遅延が発生している場合、運休および遅延が発生していない場合に比べて、前記道路ネットワークの渋滞度が高くなるよう、前記渋滞状況を予測することを特徴とする情報処理装置。
【請求項９】
鉄道ネットワークにおける鉄道の運行状況を取得する交通状況取得手段と、
前記鉄道ネットワークの代替として利用できる道路ネットワークの渋滞状況を、取得された前記鉄道の運行状況を考慮して予測する交通状況予測手段と、を備え、
前記交通状況予測手段は、前記鉄道ネットワークにおける運休または遅延が発生している区間からの距離に応じて、前記道路ネットワークの渋滞状況を予測することを特徴とする情報処理装置。
【請求項１０】
鉄道ネットワークにおける鉄道の運行状況を取得する交通状況取得手段と、
前記鉄道ネットワークの代替として利用できる道路ネットワークの渋滞状況を、取得された鉄道の運行状況を考慮して予測する交通状況予測手段と、を備え、
前記交通状況予測手段は、前記鉄道の運休または遅延による、前記渋滞状況への影響時間を予測することを特徴とする情報処理装置。
【請求項１１】
交通状況取得手段が、鉄道ネットワークにおける鉄道の運行状況を取得するステップと、
交通状況予測手段が、道路ネットワークの渋滞状況を、取得された前記鉄道の運行状況を考慮して予測するステップと、を備え、
前記渋滞状況は、前記道路ネットワークの渋滞度を含み、
前記予測するステップでは、前記交通状況予測手段は、前記鉄道に運休または遅延が発生している場合、運休および遅延が発生していない場合に比べて、前記道路ネットワークの渋滞度が高くなるよう、前記渋滞状況を予測することを特徴とする情報処理方法。
【請求項１２】
交通状況取得手段が、鉄道ネットワークにおける鉄道の運行状況を取得するステップと、
交通状況予測手段が、道路ネットワークの渋滞状況を、取得された前記鉄道の運行状況を考慮して予測するステップと、を備え、
前記予測するステップでは、前記交通状況予測手段は、前記鉄道ネットワークにおける運休または遅延が発生している区間からの距離に応じて、前記道路ネットワークの渋滞状況を予測することを特徴とする情報処理方法。
【請求項１３】
交通状況取得手段が、鉄道ネットワークにおける鉄道の運行状況を取得するステップと、
交通状況予測手段が、道路ネットワークの渋滞状況を、取得された前記鉄道の運行状況を考慮して予測するステップと、を備え、
前記予測するステップでは、前記交通状況予測手段は、前記鉄道の運休または遅延による、前記渋滞状況への影響時間を予測することを特徴とする情報処理方法。
【請求項１４】
交通状況取得手段が、鉄道ネットワークにおける鉄道の運行状況を取得するステップと、
交通状況予測手段が、道路ネットワークの渋滞状況を、取得された前記鉄道の運行状況を考慮して予測するステップと、をコンピュータに実行させる情報処理プログラムであって、
前記渋滞状況は、前記道路ネットワークの渋滞度を含み、
前記予測するステップでは、前記交通状況予測手段は、前記鉄道に運休または遅延が発生している場合、運休および遅延が発生していない場合に比べて、前記道路ネットワークの渋滞度が高くなるよう、前記渋滞状況を予測することを特徴とする情報処理プログラム。
【請求項１５】
交通状況取得手段が、鉄道ネットワークにおける鉄道の運行状況を取得するステップと、
交通状況予測手段が、道路ネットワークの渋滞状況を、取得された前記鉄道の運行状況を考慮して予測するステップと、をコンピュータに実行させる情報処理プログラムであって、
前記予測するステップでは、前記交通状況予測手段は、前記鉄道ネットワークにおける運休または遅延が発生している区間からの距離に応じて、前記道路ネットワークの渋滞状況を予測することを特徴とする情報処理プログラム。
【請求項１６】
交通状況取得手段が、鉄道ネットワークにおける鉄道の運行状況を取得するステップと、
交通状況予測手段が、道路ネットワークの渋滞状況を、取得された前記鉄道の運行状況を考慮して予測するステップと、をコンピュータに実行させる情報処理プログラムであって、
前記予測するステップでは、前記交通状況予測手段は、前記鉄道の運休または遅延による、前記渋滞状況への影響時間を予測することを特徴とする情報処理プログラム。
【発明の詳細な説明】
【技術分野】
【０００１】
本発明は、交通状況予測に関する情報処理システム、情報処理装置、情報処理方法および情報処理プログラム、ならびに、データベース生成装置、データベース生成方法およびデータベース生成プログラムに関する。
【背景技術】
【０００２】
カーナビゲーション装置などにおいて、道路の渋滞状況を予測することが広く行われている。渋滞状況は、通常、予測対象の曜日や時間帯などに基づいて予測される。近年では、交通規制情報や交通事故などの突発事象も考慮に入れて渋滞状況の予測を行う技術も提案されている（特許文献１）。
【先行技術文献】
【特許文献】
【０００３】
【特許文献１】特開２０１１−９９７９８号公報
【発明の概要】
【発明が解決しようとする課題】
【０００４】
しかしながら、特許文献１に記載の技術を用いても、まだ予測の精度が十分とは言えない。
【０００５】
本発明は上記の問題点に鑑みてなされたものであり、その目的は、高精度に交通状況を予測するための情報処理システム、情報処理装置、情報処理方法および情報処理プログラムを提供するものである。
【０００６】
また、本発明の別の目的は、高精度に交通状況を予測するために用いることが可能なデータベースを生成するデータベース生成装置、データベース生成方法およびデータベース生成プログラムを提供するものである。
【課題を解決するための手段】
【０００７】
本発明の一態様によれば、第１の交通ネットワークの交通状況を取得する交通状況取得手段と、前記第１の交通ネットワークとは移動手段が異なる第２の交通ネットワークの交通状況を、取得された前記第１の交通ネットワークの交通状況を考慮して予測する交通状況予測手段と、を備えることを特徴とする情報処理システムが提供される。
【０００８】
また、本発明の一態様によれば、鉄道ネットワークの運行状況のログである運行状況情報データベースと、前記鉄道ネットワークの代替として利用できる道路ネットワークの交通状況のログである交通状況情報データベースと、を用いて、前記鉄道ネットワークの運行状況と、前記道路ネットワークの渋滞状況とを関連付けた渋滞予測用情報データベースを生成するデータベース生成部５を備え、このデータベース生成手段は、前記運行状況情報データベースを参照して、運休または遅延が発生した日時を特定し、前記交通状況情報データベースを参照して、特定された前記日時の交通状況を取得し、前記運休または遅延と、前記特定された交通状況とを関連付けて、前記渋滞予測用情報データベースを生成することを特徴とするデータベース生成装置が提供される。
【発明の効果】
【０００９】
本発明に係る情報処理装置、情報処理方法および情報処理プログラムによれば、交通状況を予測する際に、他の交通ネットワークの交通状況を考慮するため、予測精度を向上できる。
【００１０】
また、本発明に係るデータベース生成装置、データベース生成方法およびデータベース生成プログラムによれば、上記情報処理装置、情報処理方法および情報処理プログラムで使用可能なデータベースを生成できる。
【図面の簡単な説明】
【００１１】
【図１】本発明の第１の実施形態に係る情報処理装置の概略構成を示すブロック図。
【図２】図１の情報処理装置の処理動作の一例を示すフローチャート。
【図３】出力部３に表示される渋滞予測情報の一例を示す図。
【図４】出力部３に表示される渋滞予測情報の別の例を示す図。
【図５】本発明の第２の実施形態に係る情報処理装置の概略構成を示すブロック図。
【図６】渋滞予測用情報データベースの構造の一例を示す図。
【図７】本発明の第３の実施形態に係る情報処理装置の概略構成を示すブロック図。
【図８】鉄道ネットワークにおける運行状況情報データベースの構造の一例を示す図。
【図９】道路ネットワークにおける交通状況情報データベースの構造の一例を示す図。
【図１０】運行状況情報データベースおよび交通状況情報データベースを用いた渋滞予測の手順の一例を示すフローチャート。
【図１１】本発明の第４の実施形態に係る情報処理装置の概略構成を示すブロック図。
【図１２】データベース生成部５の処理動作の一例を示すフローチャート。
【図１３】図８の運行状況情報データベースおよび図９の交通状況情報データベースを用いて生成される渋滞予測用情報データベースの概略を示す図。
【図１４】本発明の第５の実施形態に係る情報処理システムの概略構成を示すブロック図。
【発明を実施するための形態】
【００１２】
以下、本発明の実施形態について、図面を参照しながら具体的に説明する。
【００１３】
（第１の実施形態）
図１は、本発明の第１の実施形態に係る情報処理装置の概略構成を示すブロック図である。情報処理装置は、交通状況取得部１と、交通状況予測部２と、出力部３とを備えている。
【００１４】
交通状況取得部１はある交通ネットワークの交通状況を取得する。交通状況予測部２は、取得された交通状況を考慮に入れて、上記交通ネットワークの代替として利用でき、かつ、移動手段が異なる他の交通ネットワークの交通状況を予測する。出力部３は予測された交通状況を出力する。出力部３は、例えばディスプレイやスピーカであり、予測された交通状況を映像や音声として出力する。また、出力部３は、予測された交通状況を外部の装置に出力するものであってもよい。以下では、出力部３はディスプレイであるとする。
【００１５】
本実施形態では、具体例として以下を想定している。交通状況取得部１は、公共交通機関である鉄道ネットワークの交通状況として、運行状況情報を取得する。運行状況情報は、例えば鉄道に運休や遅延が発生しているか否かを示す。また、交通状況予測部２は、当該鉄道ネットワーク近辺の道路ネットワークに関する交通状況として、渋滞状況を予測した情報である渋滞予測情報を生成する。渋滞状況とは、道路ネットワークにおける渋滞度や、渋滞長、および、渋滞の継続時間などである。続いて、より詳細に説明する。
【００１６】
図２は、図１の情報処理装置の処理動作の一例を示すフローチャートである。
【００１７】
まず、交通状況取得部１は鉄道の運行状況を取得する（ステップＳ１）。一例として、交通状況取得部１は、ネットワークを介して、鉄道会社から運行状況情報を受信してもよい。また、運行状況情報を入手したオペレータが当該運行状況情報を入力することにより、交通状況取得部１が運行状況情報を受け取ってもよい。
【００１８】
運休および遅延が発生していない場合（ステップＳ２のＮＯ）、交通状況予測部２は通常通りの渋滞状況を予測する。結果として、当該鉄道ネットワーク近辺の道路ネットワークに関して、交通状況予測部２により予測される渋滞状況では、運休または遅延が発生している場合よりも、相対的に渋滞度が低くなる（ステップＳ３）。
【００１９】
通常通りの渋滞状況の予測の手法は特に問わない。例えば、リンク毎の渋滞パターンを、曜日や時間帯、天気ごとに予め記憶しておき、交通状況予測部２は渋滞状況の予測を行う対象と合致する渋滞パターンを渋滞状況とすることができる。なお、渋滞状況の予測を行う対象となる時刻は、現在時刻であってもよいし、ユーザから指定されてもよい。
【００２０】
一方、運休または遅延が発生している場合（ステップＳ２のＹＥＳ）、鉄道の利用者が代替手段として車やタクシーを利用するため、その鉄道の近辺の道路では交通量が増加する。その結果、当該車やタクシーが通る道路ネットワークの渋滞度が高くなる。そこで、交通状況予測部２は鉄道の運休または遅延による影響を受けると考えられる道路ネットワークを特定する（ステップＳ４）。
【００２１】
例えば、交通状況予測部２は、１つの鉄道ネットワークに対して、その影響を受ける道路ネットワークを予め定めておいてもよい。あるいは、交通状況予測部２は、その影響を受ける道路ネットワークを、その都度特定してもよい。例えば、当該鉄道ネットワークからの距離が所定値以下の道路ネットワークを、その影響を受ける道路ネットワークとして、その都度特定してもよい。
【００２２】
そして、交通状況予測部２は、特定された道路ネットワークに関して、運休および遅延が発生していない場合よりも、相対的に渋滞度が高くなるよう渋滞予測情報を生成する（ステップＳ５）。例えば、交通状況予測部２は、運休および遅延が発生していないとして通常通りの渋滞状況を予測した結果の渋滞度を、所定値だけ高く設定する。
【００２３】
この場合、交通状況予測部２は、特定された道路ネットワークの渋滞度を一律に高く設定してもよいし、鉄道ネットワークにおける運休または遅延が発生している区間から近い道路ネットワークほど渋滞度をより高く設定してもよい。また、一般的には、運休の場合や遅延時間が長い場合ほど、渋滞は長く続く。よって、交通状況予測部２は、運休であるか遅延であるか、あるいは、遅延時間などを考慮して、渋滞がどの程度の時間継続するかを予測してもよい。
【００２４】
図３は、出力部３に表示される渋滞予測情報の一例を示す図である。同図（ａ）は鉄道ネットワーク３１に運休および遅延が発生していない場合であり、近辺の道路ネットワーク３２にはそれほど渋滞がないことが予測されている。これに対し、同図（ｂ）は鉄道ネットワーク３１に運休あるいは遅延が発生している場合であり、近辺の道路ネットワーク３２の交通量が多くなって渋滞が発生することが予測されている。
【００２５】
図４は、出力部３に表示される渋滞予測情報の別の例を示す図である。図示のように、渋滞予測情報をテキスト表示して、ユーザに報知してもよい。
【００２６】
図３および図４に示すように、運休や遅延が発生していることに加え、周囲の道路が通常より渋滞するという予測情報を表示することで、ユーザの利便性が向上する。
【００２７】
このように、第１の実施形態では、鉄道ネットワークの運行状況情報を考慮して道路ネットワークの渋滞状況の予測を行うため、予測の精度を向上できる。また、鉄道が運休や遅延した場合に、車やタクシー、バスに乗り換えて迂回することの有効性を的確に判断できる。
【００２８】
なお、図１の情報処理装置をサーバ内に設け、ユーザが使用する端末装置に渋滞予測情報を送信するようにしてもよい。例えば、サーバ内の交通状況取得部１および交通状況予測部２により渋滞状況の予測を行い、端末装置からの要求に応じて、出力部３から渋滞予測情報を端末装置に送信する。そして、端末装置のディスプレイに図３あるいは図４に示すような画面を表示してもよい。
【００２９】
（第２の実施形態）
以下に説明する第２の実施形態では、運行状況情報と渋滞状況情報とを関連付けた渋滞予測用情報データベースを用いて渋滞状況の予測を行うものである。
【００３０】
図５は、本発明の第２の実施形態に係る情報処理装置の概略構成を示すブロック図である。図５では、図１と共通する構成部分には同一の符号を付しており、以下では相違点を中心に説明する。
【００３１】
図５の情報処理装置はさらに記憶部４を備えている。記憶部４は運行状況情報と渋滞状況情報とを関連付けた渋滞予測用情報データベースを記憶している。すなわち、渋滞予測用情報データベースは異なる交通ネットワーク間の交通状況を紐づけたものである。
【００３２】
図６は、渋滞予測用情報データベースの構造の一例を示す図である。渋滞予測用情報データベースは、運休や遅延の規模、路線の特性、駅の規模、時間帯、曜日、繁忙期であるか閑散期であるか、季節など、様々な要素で運行状況情報をパターン化し、過去のデータなどから、それぞれのパターンで渋滞の傾向を洗い出したものである。
【００３３】
図６に示す例では、運行状況情報として、ある鉄道ネットワークにおける、運休や遅延の規模、時間帯、曜日および季節の情報が含まれている。また、渋滞状況情報として、当該鉄道ネットワーク近辺の道路ネットワークにおける、各リンクの旅行速度、渋滞度、影響時間の情報が含まれている。もちろん、図６は一例にすぎず、渋滞予測用情報データベースは、図示した情報の一部のみを含んでいてもよいし、他の情報をさらに含んでいてもよい。
【００３４】
このような渋滞予測用情報データベースを用いて、交通状況予測部２はより細かく渋滞状況の予測を行うことができる。すなわち、鉄道に運休や遅延が発生している場合、交通状況予測部２は、渋滞予測用情報データベースを参照し、運休や遅延の規模に加え、渋滞状況の予測を行う対象の時間帯、曜日および季節が一致する条件における渋滞状況を取得する。
【００３５】
例えば、運休が発生し、渋滞状況の予測を行う時間帯が０〜１時、曜日が日曜日、季節が春である場合、交通状況予測部２は、リンク００１での自動車の旅行速度が５ｋｍ／ｈであり、渋滞度が「高」となることを予測できる。さらに、同条件において、交通状況予測部２は、渋滞が３時間程度継続することや、運休からの復旧から３時間以上経過していれば運休が発生した影響が解消されることを予測できる。
【００３６】
このように、第２の実施形態では、運行状況情報と渋滞状況情報とを関連付けた渋滞予測用情報データベースを用いて渋滞状況の予測を行う。そのため、より細かく高精度に渋滞を予測できる。
【００３７】
なお、図５では、情報処理装置が記憶部４を備える例を示したが、記憶部４が別個の装置内にあって、交通状況予測部２が外部の記憶部４にアクセスする形態であってもよい。
【００３８】
（第３の実施形態）
上述した第２の実施形態は、運行状況情報と渋滞状況情報とを含む渋滞予測用情報データベースを用いるものであった。これに対し、以下に説明する第３の実施形態は、運行状況情報データベースと、交通状況情報データベースとを用いるものである。
【００３９】
図７は、本発明の第３の実施形態に係る情報処理装置の概略構成を示すブロック図である。図７では、図１と共通する構成部分には同一の符号を付しており、以下では相違点を中心に説明する。
【００４０】
図７の情報処理装置はさらに記憶部４ａ，４ｂを備えている。記憶部４ａは運行状況情報のログである運行状況情報データベースを記憶している。記憶部４ｂは交通状況情報のログである交通状況情報データベースを記憶している。
【００４１】
図８は、ある鉄道ネットワークにおける運行状況情報データベースの構造の一例を示す図である。運行状況情報データベースは、いつ、どのような運休や遅延が発生したかを示している。運行状況情報データベースは、例えば交通状況予測部２が交通状況を取得する度にログを記録することにより生成できる。また、鉄道会社から運行状況情報データベースの供給を受けてもよい。
【００４２】
図９は、ある道路ネットワークにおける交通状況情報データベースの構造の一例を示す図である。交通状況情報データベースは、各日時の自動車の旅行速度や渋滞度といった交通状況を示している。交通状況情報データベースは、例えばＶＩＣＳ（登録商標）情報やプローブ情報といった、一般的なデータから構成されるものであってもよい。また、特定のアプリを利用している携帯端末の移動履歴を取得して、交通状況情報データベースを生成することもできる。例えばカーナビアプリを利用している携帯端末から、ＧＰＳを利用した現在位置を定期的に取得することにより、各日時における自動車の旅行速度が分かる。
【００４３】
図１０は、運行状況情報データベースおよび交通状況情報データベースを用いた渋滞予測の手順の一例を示すフローチャートである。以下、図８の運行状況情報データベースおよび図９の交通状況情報データベースを例に取って説明する。
【００４４】
まず、交通状況取得部１は鉄道の運行状況情報を取得する（ステップＳ１１）。運休または遅延が発生している場合、交通状況予測部２は当該鉄道ネットワークの運休や遅延に影響を受ける近辺の道路ネットワークを特定する（ステップＳ１２）。
【００４５】
続いて、交通状況予測部２は、記憶部４ａに記憶された運行状況情報データベースを参照し、同様の運休や遅延が発生した日時を特定する（ステップＳ１３）。例えば、ステップＳ１１にて、運休が発生していることが分かった場合、図８を参照すると、同様に運休が発生した日時として、４月３日１５時１０分が特定される。
【００４６】
その後、交通状況予測部２は、ステップＳ１２で特定した道路ネットワークの交通状況情報データベースを参照し、ステップＳ１３で特定した日時の交通状況を取得する（ステップＳ１４）。図９を参照すると、上記４月３日１５時１０分のリンク００１における交通状況は、旅行速度１０ｋｍ／ｈであり渋滞度「高」である。
【００４７】
よって、交通状況予測部２は特定された道路ネットワークの渋滞度が「高」となることを予測できる（ステップＳ１５）。また、図９の交通状況情報データベースを参照すると、４月３日１６〜１７時には渋滞度が「中」となり、同日１７〜１８時には「低」であることから、交通状況予測部２は、より詳細に、運休から１時間程度経てば渋滞度が「中」となり、２時間程度経てば渋滞がほぼ解消して通常通りになることまで予測してもよい。
【００４８】
このように、第３の実施形態では、運行状況情報データベースおよび交通状況情報データベースを利用するため、精度よく渋滞状況を予測できる。
【００４９】
なお、図７では、情報処理装置が記憶部４ａ，４ｂを備える例を示したが、記憶部４ａ，４ｂのうちの少なくとも一方が別個の装置内にあって、交通状況予測部２が外部の記憶部４ａ，４ｂにアクセスする形態であってもよい。
【００５０】
（第４の実施形態）
上述した第３の実施形態では、それぞれ別個の運行状況情報データベースおよび交通状況情報データベースを用いるものであった。これに対し、以下に説明する第４の実施形態では、両データベースから図６に示すような渋滞予測用情報データベースを生成して、渋滞状況の予測を行うものである。
【００５１】
図１１は、本発明の第４の実施形態に係る情報処理装置の概略構成を示すブロック図である。図１１では、図７と共通する構成部分には同一の符号を付しており、以下では相違点を中心に説明する。
【００５２】
図１１の情報処理装置はさらにデータベース生成部５を備えている。データベース生成部５は、記憶部４ａに記憶された運行状況情報データベース（図８）と、記憶部４ｂに記憶された交通状況情報データベース（図９）とに基づいて、渋滞予測用情報データベースを生成する。生成された渋滞予測用情報データベースは記憶部４に記憶される。
【００５３】
図１２は、データベース生成部５の処理動作の一例を示すフローチャートである。また、図１３は、図８の運行状況情報データベースおよび図９の交通状況情報データベースを用いて生成される渋滞予測用情報データベースの概略を示す図である。図１３に示す渋滞予測用情報データベースが生成される様子を説明する。
【００５４】
データベース生成部５は、運行状況情報データベースを参照し、運休や遅延が発生した日時を特定する（ステップＳ２１）。例えば図８において、データベース生成部５は、運休が発生した日時として、４月３日１５時１０分を特定する。この日時は春であり、また水曜であるとする。
【００５５】
続いて、データベース生成部５は、交通状況情報データベースを参照し、特定した日時の交通状況を取得する（ステップＳ２２）。図９を参照すると、上記４月３日１５時１０分のリンク００１における交通状況は、旅行速度１０ｋｍ／ｈであり渋滞度「高」である。また、同日１７〜１８時には渋滞度が「低」であることから、渋滞は２時間程度継続したと推定される。
【００５６】
そして、データベース生成部５は、ステップＳ２２取得した交通状況を運行状況と関連付けて、渋滞予測用情報データベースとして記録する（ステップＳ２３）。これにより、図１３の矢印Ａで示す行が記録される。運行状況情報データベースにおける運休や遅延のそれぞれに対してこのような処理を繰り返すことにより、図１３のような渋滞予測用情報データベースが生成される。
【００５７】
渋滞予測用情報データベース生成後に、新たに運休や遅延が発生した場合、データベース生成部５がさらにステップＳ２１〜Ｓ２３の処理を行って、渋滞予測用情報データベースを更新することもできる。
【００５８】
生成された渋滞予測用情報データベースは、データベース生成部５が保持してもよいし、情報処理装置内または外の記憶部に保持してもよい。その後は、第２の実施形態と同様にして、渋滞予測用情報データベースを用いた渋滞状況の予測が行われる。
【００５９】
このように、第４の実施形態では、運行状況情報データベースおよび運行状況情報データベースから渋滞予測用情報データベースを生成できる。
【００６０】
（第５の実施形態）
以下に説明する第５の実施形態は、予測した渋滞予測情報を反映させて、経路探索を行うものである。
【００６１】
図１４は、本発明の第５の実施形態に係る情報処理システムの概略構成を示すブロック図である。情報処理システムは端末装置１０およびサーバ２０を備えており、これらはネットワーク３０を介して互いに通信可能である。ネットワーク３０は有線回線と無線回線のいずれでもよく、回線の種類や形態は問わない。
【００６２】
端末装置１０はユーザが使用するものであり、例えば携帯電話、スマートフォンもしくはタブレット端末装置等のモバイル電子機器でもよいし、パーソナルコンピュータやカーナビゲーション装置等の据え置き型電子機器でもよい。
【００６３】
端末装置１０は、通信部１１と、操作入力部１２と、出力部１３と、制御部１４とを備えている。
【００６４】
通信部１１はネットワーク３０を介して制御部１４とサーバ２０との間で情報を送受信するインターフェースである。
【００６５】
操作入力部１２はユーザが端末装置１０に操作を入力するためのインターフェースであり、例えばモバイル電子機器におけるタッチパネルやマイク、据え置き型電子機器におけるキーボード、タッチパッドもしくはダイヤルボタンである。
【００６６】
出力部１３は端末装置１からユーザへ各種情報を出力するインターフェースであり、例えば映像を表示するディスプレイである。具体的には、出力部１３は、ユーザからの操作を受け付けるためのＧＵＩ（Graphical User Interface）、渋滞予測情報、経路情報などを表示する。あるいは、出力部１３は渋滞予測情報や経路情報を音声で出力するスピーカであってもよい。また、出力部１３は渋滞予測情報や経路情報を外部の装置に出力するものであってもよい。
【００６７】
制御部１４は、例えば端末装置１０内のプロセッサ（不図示）が所定の情報処理プログラムを実行することにより実現されるものであり、探索条件設定部１４１と、探索要求送信部１４２と、情報受信部１４３とを含む。
【００６８】
探索条件設定部１４１は、ユーザから操作入力部１２を介して、出発地、目的地、出発時刻あるいは到着時刻のような諸条件を受け付けることにより、探索条件を設定する。探索要求送信部１４２は、通信部１１からネットワーク３０を介して、探索条件を含む探索要求をサーバ２０に送信し、探索条件に基づいて経路探索を行うようサーバ２０に要求する。情報受信部１４３は、ネットワーク３０を介して通信部１１から、サーバ２０から送信された渋滞予測情報や経路情報を受信する。
【００６９】
一方、サーバ２０は、通信部２１と、記憶部２２と、制御部２３とを備えている。
【００７０】
通信部２１はネットワーク３０を介して制御部２３と端末装置１０との間で情報を送受信するインターフェースである。
【００７１】
記憶部２２は、例えばハードディスクのような固定型データストレージであり、交通ネットワーク情報を含む経路ネットワーク情報データベース２２１と、地図情報を含む地図情報データベース２２２とを記憶する。
【００７２】
交通ネットワーク情報は、鉄道やバス等の交通網や道路網を規定する情報である。交通網の情報としては、交通機関の路線情報、時刻表情報、料金情報等を含む。道路網の情報は、例えば交差点等の道路網表現上の結節点であるノードのデータと、ノード間の道路区間であるリンクのデータとの組み合わせによって表現される。地図情報および経路ネットワーク情報は、渋滞状況の予測や経路探索に用いられる。
【００７３】
地図情報は、全国および各地方の道路地図などの地図データと、地図データに対応付けられた地図オブジェクト情報を含む。地図オブジェクト情報とは、地図上に表示される施設の形状についての形状情報、地図上に表示される注記についての注記情報、地図上に表示される記号についての記号情報などである。また、地図情報は公共交通機関の路線図に関する路線図情報を含んでいてもよい。
【００７４】
上記の交通ネットワーク情報および地図情報は、所定のタイミングでアップデートしてもよい。
【００７５】
なお、記憶部２２は、必ずしもサーバ２０内に設けなくてもよく、ネットワーク３０を介して接続される別個の装置内に設けてもよい。また、記憶部２２は第２〜第４の実施形態で用いられる各種データベースを記憶しておいてもよい。
【００７６】
制御部２３は、例えばサーバ２０内のプロセッサ（不図示）が所定の情報処理プログラムを実行することにより実現されるものであり、探索要求受信部２３１と、渋滞予測部２３２と、経路探索部２３３と、情報送信部２３４とを含む。
【００７７】
探索要求受信部２３１は、端末装置１０の探索要求送信部１４２から送信される探索要求を、ネットワーク３０を介して通信部２１から受信する。この探索要求には、探索条件設定部１４１で設定された探索条件が含まれている。
【００７８】
渋滞予測部２３２は、例えば第１〜第４の実施形態で説明した交通状況取得部１および交通状況予測部２であり、鉄道ネットワークの運行状況を考慮して、道路ネットワークの渋滞状況を高精度に予測し、渋滞予測情報を生成する。鉄道の運休や遅延の影響時間も予測する場合、影響時間中だけ、鉄道ネットワークの運行状況を考慮してもよい。
【００７９】
経路探索部２３３は、経路ネットワーク情報を用いて探索条件に基づく経路探索を行い、出発地から目的地までの経路や所要時間などを示す経路情報を生成する。ここで、経路探索部２３３は、予測された渋滞状況を反映させて、経路情報を生成する。例えば、経路探索部２３３は、渋滞が予測される道路ネットワークについては、通常よりも移動に時間を要することを考慮する。
【００８０】
情報送信部２３４は、通信部２１からネットワーク３０を介して、渋滞予測部２３２が生成した渋滞予測情報や、経路探索部２３３が生成した経路情報を、端末装置１０の情報受信部１４３に送信する。
【００８１】
以上のようにして、端末装置１０の出力部１３には、渋滞予測情報や、予測された渋滞状況が反映された経路情報が出力される。
【００８２】
このように、第５の実施形態では、高精度に予測された渋滞状況を考慮して経路探索を行うため、より正確な経路情報を生成できる。
【００８３】
上述した各実施形態では、鉄道ネットワークの運行状況を考慮して、道路ネットワークの渋滞状況を予測するものであった。この考えは、幅広く様々な交通ネットワークの交通状況予測に応用できる。
【００８４】
ここで、交通ネットワークとは、人が行き来するためのネットワークなどを言い、自動車が走行する道路ネットワークのほか、自転車レーンのような自転車が走行可能な道路を含む自転車ネットワークや、歩道のような歩行者が歩行可能な徒歩ネットワークなども含んでいてもよい。
【００８５】
また、交通状況とは、鉄道やバスのようなタイムテーブルに従って運行する公共交通機関の運休や遅延、交通ネットワークの渋滞状況、交通ネットワークの移動手段内の混雑状況（例えば電車の混み具合）などである。
【００８６】
一例として、交通状況はリンクを単位として予測することができる。例えば、道路ネットワークでは交差点間の区間がリンクであり、バスネットワークでは停留所間の区間がリンクであり、鉄道ネットワークでは駅間の区間がリンクである。もちろん、リンク以外の他の単位で交通状況を予測してもよい。
【００８７】
例えば、道路が渋滞していると、車、タクシー、バスの利用者が鉄道や徒歩で移動するようになる。そのため、道路ネットワークの渋滞状況を考慮して、鉄道の混雑状況や、徒歩ネットワークの混雑状況を予測してもよい。
【００８８】
あるいは、鉄道が混雑、運休、遅延すると、鉄道の利用者が徒歩や自転車で移動するようになる。そのため、鉄道ネットワークの混雑状況や運行状況を考慮して、徒歩ネットワークや自転車ネットワークの混雑状況を予測してもよい。
【００８９】
また、３つ以上の交通ネットワークにも応用できる。例えば、鉄道が混雑、運休、遅延すると、鉄道の利用者が車、タクシー、バスで移動することになる。その結果、道路ネットワークが渋滞する。すると、車、タクシー、バスの利用者が徒歩で移動するようになる。その結果、徒歩ネットワークが混雑する。よって、鉄道ネットワークの混雑状況や運行状況を考慮して、道路ネットワークの渋滞状況および徒歩ネットワークの混雑状況を予測してもよい。
【００９０】
また、図１４に示す情報処理システムの構成は一例にすぎず、サーバ２０内の構成要件の少なくとも一部が端末装置１０内にあってもよい。例えば、サーバ２内の記憶部２２および制御部２３を端末装置１０内に設けて、通信をすることなく端末装置１０のみで渋滞状況の予測を行うことができるスタンドアローン型の情報処理装置を構成してもよい。同様に、図１などの情報処理装置における各部が複数の装置内に設けられて、情報処理システムを構成してもよい。
【００９１】
上述した実施形態で説明した情報処理装置の少なくとも一部は、ハードウェアで構成してもよいし、ソフトウェアで構成してもよい。ソフトウェアで構成する場合には、情報処理装置の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００９２】
また、情報処理装置の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００９３】
上記の記載に基づいて、当業者であれば、本発明の追加の効果や種々の変形を想到できるかもしれないが、本発明の態様は、上述した個々の実施形態には限定されるものではない。特許請求の範囲に規定された内容およびその均等物から導き出される本発明の概念的な思想と趣旨を逸脱しない範囲で種々の追加、変更および部分的削除が可能である。
【符号の説明】
【００９４】
１  交通状況取得部
２  交通状況予測部
３  出力部
４，４ａ，４ｂ  記憶部
５  データベース生成部
１０  端末装置
１１  通信部
１２  操作入力部
１３  出力部
１４  制御部
１４１  探索条件設定部
１４２  探索要求送信部
１４３  情報受信部
２０  サーバ
２１  通信部
２２  記憶部
２２１  経路ネットワーク情報データベース
２２２  地図情報データベース
２３  制御部
２３１  探索要求受信部
２３２  渋滞予測部
２３３  経路探索部
２３４  情報送信部
【図１】
2018014143.tif 000003
【図２】
2018014143.tif 000004
【図３】
2018014143.tif 000005
【図４】
2018014143.tif 000006
【図５】
2018014143.tif 000007
【図６】
2018014143.tif 000008
【図７】
2018014143.tif 000009
【図８】
2018014143.tif 000010
【図９】
2018014143.tif 000011
【図１０】
2018014143.tif 000012
【図１１】
2018014143.tif 000013
【図１２】
2018014143.tif 000014
【図１３】
2018014143.tif 000015
【図１４】
2018014143.tif 000016
【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
道路ネットワークの渋滞状況を取得する交通状況取得手段と、
鉄道の混雑状況または徒歩ネットワークの混雑状況を、取得された前記道路ネットワークの渋滞状況を考慮して予測する交通状況予測手段と、を備えることを特徴とする情報処理システム。
【請求項２】
鉄道ネットワークの運行状況を取得する交通状況取得手段と、
徒歩ネットワークの混雑状況または自転車ネットワークの混雑状況を、取得された前記鉄道ネットワークの運行状況を考慮して予測する交通状況予測手段と、を備える情報処理システム。
【請求項３】
予測された前記鉄道の混雑状況または徒歩ネットワークの混雑状況を反映させて、経路探索を行う経路探索部を備えることを特徴とする請求項１に記載の情報処理システム。
【請求項４】
予測された前記徒歩ネットワークの混雑状況または自転車ネットワークの混雑状況を反映させて、経路探索を行う経路探索部を備えることを特徴とする請求項２に記載の情報処理システム。
【請求項５】
道路ネットワークの渋滞状況を取得する交通状況取得手段と、
前記道路ネットワークの代替として利用できる鉄道ネットワークにおける鉄道の混雑状況または徒歩ネットワークの混雑状況を、取得された前記道路ネットワークの渋滞状況を考慮して予測する交通状況予測手段と、を備えることを特徴とする情報処理装置。
【請求項６】
鉄道ネットワークの運行状況を取得する交通状況取得手段と、
前記鉄道ネットワークの代替として利用できる徒歩ネットワークの混雑状況または自転車ネットワークの混雑状況を、取得された前記鉄道ネットワークの運行状況を考慮して予測する交通状況予測手段と、を備えることを特徴とする情報処理装置。
【請求項７】
交通状況取得手段が、道路ネットワークの渋滞状況を取得するステップと、
交通状況予測手段が、前記道路ネットワークの代替として利用できる鉄道ネットワークにおける鉄道の混雑状況または徒歩ネットワークの混雑状況を、取得された前記道路ネットワークの渋滞状況を考慮して予測するステップと、を備えることを特徴とする情報処理方法。
【請求項８】
交通状況取得手段が、鉄道ネットワークの運行状況を取得するステップと、
交通状況予測手段が、前記鉄道ネットワークの代替として利用できる徒歩ネットワークの混雑状況または自転車ネットワークの混雑状況を、取得された前記鉄道ネットワークの運行状況を考慮して予測するステップと、を備えることを特徴とする情報処理方法。
【請求項９】
交通状況取得手段が、道路ネットワークの渋滞状況を取得するステップと、
交通状況予測手段が、前記道路ネットワークの代替として利用できる鉄道ネットワークにおける鉄道の混雑状況または徒歩ネットワークの混雑状況を、取得された前記道路ネットワークの渋滞状況を考慮して予測するステップと、をコンピュータに実行させることを特徴とする情報処理プログラム。
【請求項１０】
交通状況取得手段が、鉄道ネットワークの運行状況を取得するステップと、
交通状況予測手段が、前記鉄道ネットワークの代替として利用できる徒歩ネットワークの混雑状況または自転車ネットワークの混雑状況を、取得された前記鉄道ネットワークの運行状況を考慮して予測するステップと、をコンピュータに実行させることを特徴とする情報処理プログラム。